(57)【特許請求の範囲】
【請求項１】
ＧＵＩ画面を表示する表示部と、
前記表示部に重ねて設けられ、前記ＧＵＩ画面に対する指示に対応する操作を検出するタッチパネルと、
前記タッチパネルが検出する操作に応じた前記ＧＵＩ画面に対する指示に基づいて制御を行うＧＵＩ制御部と、
を備え、
前記ＧＵＩ制御部は、
前記ＧＵＩ画面において、ＧＵＩ用画像データの一種であるアイコンを複数表示可能なリストエリアを設定し、該リストエリアで表示される複数のアイコンから１つのアイコンを選択し、該リストエリアから、選択された前記１つのアイコンを動作条件として決定するための移動先である決定エリアへ移動させる操作が行われる際、移動中の前記１つのアイコンに対応する関連情報を付帯して出力させることを特徴とする操作制御装置。
【請求項２】
前記ＧＵＩ制御部は、
前記関連情報として、文章または画像からなる情報を前記ＧＵＩ画面に表示させることを特徴とする請求項１に記載の操作制御装置。
【請求項３】
前記ＧＵＩ制御部は、
前記関連情報を、互いに異なる複数の出力形態のいずれかによって出力させることを特徴とする請求項１または２に記載の操作制御装置。
【請求項４】
請求項１〜３のいずれか一つに記載の操作制御装置を搭載したことを特徴とするカメラ。
【請求項５】
ＧＵＩ画面を表示する表示部と、前記表示部に重ねて設けられ、前記ＧＵＩ画面に対する指示に対応する操作を検出するタッチパネルとを備え、前記タッチパネルが検出する操作に応じた前記ＧＵＩ画面に対する指示に基づいて制御を行う操作制御装置が実行する操作制御方法であって、
前記ＧＵＩ画面において、ＧＵＩ用画像データの一種であるアイコンを複数表示可能なエリアとして設定されるリストエリアで表示される複数のアイコンから１つのアイコンを選択し、該リストエリアから、選択された前記１つのアイコンを動作条件として決定するための移動先である決定エリアへ移動させる操作が行われた場合、移動中の前記１つのアイコンに対応する関連情報を付帯して出力させるステップ
を有することを特徴とする操作制御方法。
【請求項６】
ＧＵＩ画面を表示する表示部と、前記表示部に重ねて設けられ、前記ＧＵＩ画面に対する指示に対応する操作を検出するタッチパネルとを備え、前記タッチパネルが検出する操作に応じた前記ＧＵＩ画面に対する指示に基づいて制御を行う操作制御装置に、
前記ＧＵＩ画面において、ＧＵＩ用画像データの一種であるアイコンを複数表示可能なエリアとして設定されるリストエリアで表示される複数のアイコンから１つのアイコンを選択し、該リストエリアから、選択された前記１つのアイコンを動作条件として決定するための移動先である決定エリアへ移動させる操作が行われた場合、移動中の前記１つのアイコンに対応する関連情報を付帯して出力させるステップ
を実行させることを特徴とする操作制御用プログラム。
【発明の詳細な説明】
【技術分野】
【０００１】
本発明は、カメラ等の機器に搭載される操作制御装置、この操作制御装置を搭載したカメラ、操作制御方法および操作制御用プログラムに関するものである。
【背景技術】
【０００２】
デジタルカメラに代表される電子機器では、ＧＵＩ（グラフィカル・ユーザ・インタフェース）機能が不可欠である。カメラのＧＵＩとして、例えば、以下のようなものがある。その一つは、ライブビュー画面の下側に、各メニュー項目をユーザの使用頻度の順番に画面上に並べて配置させ、メニューが選択されると、その上に下位層のサブメニューが表示されるようにしたカメラがある（例えば、特許文献１参照）。
【０００３】
また、他例として、メニュー画面上に並んだメニューを上下左右方向を指示する十字ボタンの操作によって選択し、選択されたメニューの下位層のサブメニュー（あるいは、パラメータ）をダイヤル操作で決定するようにしたカメラの撮影条件設定装置も提案されている（例えば、特許文献２参照）。
【先行技術文献】
【特許文献】
【０００４】
【特許文献１】特開２００８−９２５８５号公報
【特許文献２】特開２００７−１１０４３４号公報
【発明の概要】
【発明が解決しようとする課題】
【０００５】
カメラ等の電子機器におけるＧＵＩ画面では、各機能や条件がアイコンや簡単なメニューで表現される。そして、画面上でアイコンの選択操作や移動操作を行うことで、機能設定や条件変更等が可能であるので、アイコンは、非常に便利な存在となっている。
【０００６】
しかしながら、現状のＧＵＩ画面にあっては、アイコンや簡単なメニューの表示だけでは、設定される機能や条件をユーザに伝えるには十分ではない場合も多い。例えば、カメラには、自動的に撮影条件を設定できるシーンモードの設定機能が搭載されている場合が多いが、メニューだけでは各シーンモードの内容がよく分からなくて、どのような場面に使用すればよいのかが理解できないために、結局、使用されないことが多い。一方、説明文章付きのメニューにすると表示面積が増えてしまい、シーンモードの設定画面が数ページになってしまう。この事情はカメラに限らず、他の電子機器にあっても同様である。
【０００７】
結局、カメラのような電子機器において、複雑な操作を行わなくても、操作に関連し情報が簡単に得られるように改善されたＧＵＩが要望されている。
【０００８】
本発明は、上記に鑑みてなされたものであって、操作に関連した情報が簡単に得られるＧＵＩ機能を備える操作制御装置、カメラ、操作制御方法および操作制御用プログラムを提供することを目的とする。
【課題を解決するための手段】
【０００９】
上述した課題を解決し、目的を達成するために、本発明にかかる操作制御装置は、機器の動作条件を設定するためのＧＵＩ（グラフィカル・ユーザ・インタフェース）画面が表示される表示部と、前記ＧＵＩ画面に対する指示が入力される操作部と、前記ＧＵＩ画面に対する指示に応じてユーザに対する出力を制御するＧＵＩ制御部と、前記ＧＵＩ画面に対する指示に応じて前記機器の動作条件の設定と解除を行う条件設定部と、を備え、前記ＧＵＩ制御部は、前記ＧＵＩ画面に、前記機器の設定可能な各動作条件を表すアイコンを一覧表示するリストエリアと、該リストエリアと離れた位置に配置させて前記リストエリアから選択された前記アイコンを動作条件として決定するための移動先である決定エリアとを設定し、前記リストエリアから選択された前記アイコンを前記決定エリアまで移動させる第一の指示操作がされた場合には、前記機器の動作条件が前記条件設定部により設定され、前記アイコンを前記決定エリアの外へ移動させる第二の指示操作がされた場合には、前記機器に設定された動作条件が前記条件設定部により解除され、前記ＧＵＩ制御部は、該第一の指示操作に応じて前記アイコンを移動させるとともに、該移動中のアイコンに該アイコンに対応する関連情報を付帯させて出力させることを特徴とする。
【００１０】
また、本発明にかかる操作制御装置は、上記発明において、前記操作部は、前記ＧＵＩ画面が表示される前記表示部に重ねて配設されたタッチパネルからなることを特徴とする。
【００１１】
また、本発明にかかる操作制御装置は、上記発明において、前記ＧＵＩ制御部は、動作条件が設定された後に、前記決定エリアの周囲に該設定された動作条件の関連情報を表示させることを特徴とする。
【００１２】
また、本発明にかかる操作制御装置は、上記発明において、前記ＧＵＩ制御部は、前記関連情報として、前記動作条件の詳細パラメータ、該動作条件を説明する文章、または該動作条件を説明する画像のうちの少なくとも一つを前記ＧＵＩ画面に表示させることを特徴とする。
【００１３】
また、本発明にかかる操作制御装置は、上記発明において、前記ＧＵＩ制御部は、前記関連情報を、形態を異ならせて前記ＧＵＩ画面に表示させることを特徴とする。
【００１４】
また、本発明にかかる操作制御装置は、上記発明において、音声を出力するスピーカをさらに備え、前記ＧＵＩ制御部は、前記関連情報を前記ＧＵＩ画面に表示させることに加え、または代えて、前記関連情報を前記スピーカより音声の形態で出力させることを特徴とする。
【００１５】
また、本発明にかかるカメラは、上記発明に記載の操作制御装置を搭載したことを特徴とする。
【００１６】
また、本発明にかかる操作制御方法は、機器の動作条件を設定するためのＧＵＩ（グラフィカル・ユーザ・インタフェース）画面が表示される表示部と、前記ＧＵＩ画面に対する指示が入力される操作部と、を有する操作制御装置における操作制御方法であって、前記ＧＵＩ画面に対する指示に応じてユーザに対する出力を制御するＧＵＩ制御ステップと、前記ＧＵＩ画面に対する指示に応じて前記機器の動作条件の設定と解除を行う条件設定ステップと、を含み、前記ＧＵＩ制御ステップは、前記ＧＵＩ画面に、設定可能な前記機器の各動作条件を表すアイコンを表示するリストエリアと、該リストエリアと離れた位置に配置させて前記リストエリアから選択された前記アイコンを動作条件として決定するための移動先である決定エリアとを設定し、前記リストエリアから選択された前記アイコンを前記決定エリアまで移動させる第一の指示操作がされた場合には、前記機器の動作条件が前記条件設定ステップにより設定され、前記アイコンを前記決定エリアの外へ移動させる第二の指示操作がされた場合には、前記機器に設定された動作条件が前記条件設定ステップにより解除され、前記ＧＵＩ制御ステップは、該第一の指示操作に応じて前記アイコンを移動させるとともに、該移動中のアイコンに該アイコンに対応する関連情報を付帯させて出力させることを特徴とする。
【００１７】
また、本発明にかかる操作制御用プログラムは、機器の動作条件を設定するためのＧＵＩ（グラフィカル・ユーザ・インタフェース）画面が表示される表示部と、前記ＧＵＩ画面に対する指示が入力される操作部と、を有する操作制御装置が備えるコンピュータに、前記ＧＵＩ画面に対する指示に応じてユーザに対する出力を制御するＧＵＩ制御機能と、前記ＧＵＩ画面に対する指示に応じて前記機器の動作条件の設定と解除を行う条件設定機能と、を実行させ、前記ＧＵＩ制御機能は、前記ＧＵＩ画面に、設定可能な前記機器の各動作条件を表すアイコンを表示するリストエリアと、該リストエリアと離れた位置に配置させて前記リストエリアから選択された前記アイコンを動作条件として決定するための移動先である決定エリアとを設定し、前記リストエリアから選択された前記アイコンを前記決定エリアまで移動させる第一の指示操作がされた場合には、前記機器の動作条件が前記条件設定機能により設定され、前記アイコンを前記決定エリアの外へ移動させる第二の指示操作がされた場合には、前記機器に設定された動作条件が前記条件設定機能により解除され、前記ＧＵＩ制御機能は、該第一の指示操作に応じて前記アイコンを移動させるとともに、該移動中のアイコンに該アイコンに対応する関連情報を付帯させて出力させることを特徴とする。
【発明の効果】
【００１８】
本発明によれば、操作に関連した情報が簡単に得られるＧＵＩ機能を備える操作制御装置、カメラ、操作制御方法および操作制御用プログラムを提供することができる。
【図面の簡単な説明】
【００１９】
【図１】本発明の操作制御装置を搭載したデジタルカメラのシステム構成例を示すブロック図である。
【図２】撮影モードにおいてシーン設定モードが選択された場合の表示部のＧＵＩ画面の表示例を模式的に示す説明図である。
【図３】モード決定後のＧＵＩ画面の表示例を模式的に示す説明図である。
【図４】モード決定後に、設定された条件を解除する操作が行われた際のＧＵＩ画面の表示例を示す説明図である。
【図５】関連情報の出力形態の他例を示す説明図である。
【図６】モード決定後に決定エリアをタップ操作したときのＧＵＩ画面の表示の他例を示す説明図である。
【図７】初期のＧＵＩ画面において、アイコンをタップ操作した場合のＧＵＩ画面の表示例を示す説明図である。
【図８】制御部により実行される操作制御処理例を示す概略フローチャートである。
【発明を実施するための形態】
【００２０】
以下、図面を参照して、本発明を実施するための最良の形態について説明する。図１は、本発明の操作制御装置を搭載したデジタルカメラのシステム構成例を示すブロック図である。本実施の形態のデジタルカメラ１は、デジタルカメラ１を構成する各部に対する指示やデータ転送等を行い、デジタルカメラ１の動作を統括的に制御するためのＣＰＵからなる制御部１１を備える。また、デジタルカメラ１は、プログラムデータ記憶部１２、ボタン操作部１３、タッチパネル１４、撮像部１５、ＳＤＲＡＭ１６、表示画像制御部１７、画像処理部１９、圧縮伸長部２０、記録・再生部２０、音声再生部２４の各部を備える。これら各部は、制御部１１に対してバスライン３０によって接続されている。
【００２１】
プログラムデータ記憶部１２は、例えばフラッシュメモリ等の電気的に書換えが可能な不揮発性メモリである。このプログラムデータ記憶部１２は、デジタルカメラ１を動作させ、このデジタルカメラ１が備える種々の機能を実現するためのＣＰＵ用のプログラム（例えば、操作制御用プログラム）や、このプログラムの実行中に使用されるデータ、例えば、後述するＧＵＩ（グラフィカル・ユーザ・インタフェース）画面に表示させるアイコン等を含むＧＵＩ用画像データや、説明用音声データが予め格納されている。
【００２２】
ボタン操作部１３は、カメラ本体の上面に配設されて撮影タイミングを指示するためのレリーズボタン１３ａ（図２等参照）や、図示しないシーン設定モード等の設定用ボタン等からなる。
【００２３】
撮像部１５は、カメラ部と撮像処理部とからなる。カメラ部は、デジタルカメラ１が被写体像を撮像するためのものであり、撮影レンズ、撮像素子、絞り、シャッタ、ＡＦ機構、ＡＦ駆動回路、ズーム機構、ズーム駆動機構等からなる。ここで、撮像素子は、例えばＣＣＤやＣＭＯＳセンサ等の２次元固体撮像素子からなり、撮影レンズを含む撮影光学系を通して入射する被写体像を光電変換し、アナログ電気信号として出力する。撮像処理部は、撮像素子駆動回路を含む他、撮像素子から出力されるアナログ電気信号に対してＡＧＣ、ＣＤＳ等のアナログ信号処理を施した後、Ａ／Ｄコンバータでデジタル電気信号に変換して出力させるためのものである。
【００２４】
ＳＤＲＡＭ１６は、一時記憶メモリやワーキングエリアとして利用されるメモリであり、撮像部１５から出力されるデジタル電気信号や、画像処理部１９による処理中の画像データ等を一時的に記憶する。また、表示画像作成時にも、処理中の画像データ等を一時的に記憶するために用いられる。
【００２５】
表示画像制御部１７は、エンコーダやＤ／Ａコンバータ等を有して、表示部１８に対する各種情報の表示を行わせるためのドライバである。ここで、表示部１８は、図２等に示すように、カメラ本体の背面の大半の領域を占めるものであり、撮影画像やライブビュー画像の他に、ＧＵＩ画面を含め、各種設定情報等を表示するためのものであり、ＬＣＤやＥＬＤ等の薄型表示装置で実現されている。また、表示画像制御部１７は、表示部１８に表示するライブビュー画像や再生画像を作成するとともに、ＧＵＩ画面用のＧＵＩ画像を単独であるいはライブビュー画像に重畳させて表示部１８に表示させるためのものである。
【００２６】
画像処理部１９は、撮像部１５から出力されるデジタル電気信号に対して画素補間処理、色補正処理、ガンマ処理等の各種の画像処理を施すとともに、記録用、表示用等に適した画像データに変換する処理を行う。すなわち、画像処理部１９は、記録時（撮影時）には、記録画像に対しては記録用の画像処理を施し、表示用のライブビュー画像に対しては表示用の簡易な画像処理を施す。
【００２７】
圧縮伸長部２０は、撮影画像の画像データを画像記憶部２２に記録する際、あるいは画像記憶部２２に記録されている画像データを表示する際等において、周知のＪＰＥＧ方式等に基づく画像データの圧縮処理や伸長処理を行う。
【００２８】
記録・再生部２１は、画像記憶部２２に対する画像データの書き込みや画像記憶部２２からの画像データの読出しを行うためのものであり、画像記憶部２２の種類に応じたものが用いられる。ここで、画像記憶部２２は、例えばｘＤ−ピクチャーカード（登録商標）やコンパクトフラッシュ（登録商標）カード等のカメラ本体に着脱自在な記録媒体や、ＨＤＤである。
【００２９】
音声再生部２４は、Ｄ／Ａコンバータやアンプ等を有して、スピーカ２５から音声を出力させるためのドライバである。すなわち、プログラムデータ記憶部１２に記憶された説明用音声データに従い、スピーカ２５から所定の説明用音声を出力させる。
【００３０】
ここで、本実施の形態の制御部１１は、操作制御用プログラムにより実行される機能として、ＧＵＩ制御部１１ａと条件設定部１１ｂと操作検出部１１ｃとの各機能部を備える。操作検出部１１ｃは、デジタルカメラ１の動作条件設定等のために表示部１８に表示されるＧＵＩ画面に対するユーザの指示や、ボタン操作部１３によるユーザ操作を検出するための機能部である。また、本実施の形態では、ＧＵＩ画面が表示される表示部１８に重ねて配設されたタッチパネル１４を備えており、操作検出部１１ｃは、このタッチパネル１４に対するユーザの操作を検出することで、ＧＵＩ画面に対するユーザ指示の検出動作を実行する。また、ＧＵＩ制御部１１ａは、表示部１８のＧＵＩ画面に対するユーザ指示に応じてユーザに対する出力を制御するとともに、このＧＵＩ画面に関する後述のような各種制御処理を実行するための機能部である。条件設定部１１ｃは、ＧＵＩ画面に対するユーザ指示に応じてデジタルカメラ１の動作条件を設定するための機能部である。
【００３１】
つぎに、デジタルカメラ１の動作条件の一例として、撮影モードにおいてシーン設定モードによる動作条件設定の場合について、ＧＵＩ制御部１１ａ等によるＧＵＩ画面等の制御の概要を説明する。図２は、撮影モードにおいてシーン設定モードが選択された場合の表示部１８の表示例を模式的に示す説明図である。
【００３２】
図示しない設定用ボタンに対するユーザ操作により、シーン設定モードが選択されると、ＧＵＩ制御部１１ａは、ＧＵＩ画像データを用いて、図２（ａ）に示すようなシーン設定モード用の画像をＧＵＩ画面４０として表示部１８に表示させる。図２（ａ）は、シーン設定モードが選択された場合の初期のＧＵＩ画面４０の表示例を示す説明図である。ここで、ＧＵＩ画面４０には、リストエリア４１とドラッグエリア４２と決定エリア４３とが設定されている。リストエリア４１は、デジタルカメラ１の設定可能な動作条件を表示するためのエリアであり、例えば、ＧＵＩ画面４０の右側部分に配置されている。このリストエリア４１には、シーン設定モードにおいて設定可能な各動作条件を表わす複数のアイコン４４ａ〜４４ｅが並べて一覧表示される。４４ａは、スポーツモードアイコンであり、４４ｂは、夜景モードアイコンであり、４４ｃは、人物モードアイコンであり、４４ｄは、日中モードアイコンであり、４４ｅは、ポートレートモードアイコンである。これらアイコン４４ａ〜４４ｅは、ユーザ操作により選択自在である。
【００３３】
なお、図２（ａ）に例示するＧＵＩ画面４０は、シーン設定モード用であり、リストエリア４１にはシーン設定モード用のアイコン４４ａ〜４４ｅを並べたページだけが表示されているが、これに限らない。例えば、設定用ボタンの操作により、他のモード、例えば撮影モードに切換えれば、オートモード、プログラムモード、絞り優先モード等のアイコンがリストエリア４１に一覧表示される。
【００３４】
決定エリア４３は、リストエリア４１中から選択されたアイコン４４ａ〜４４ｅのいずれかを動作条件として決定するための移動先（ドラッグ＆ドロップ操作のドロップ箇所）となるものである。この決定エリア４３は、例えば、カメラ形状を縮小させたイメージで表現され、ＧＵＩ画面４０の左下隅部に配置されている。また、ドラッグエリア４２は、リストエリア４１中から選択されたアイコン４４ａ〜４４ｅのいずれかを動作条件として決定するために決定エリア４３まで移動させるドラッグ操作を行うためのエリアである。すなわち、決定エリア４３は、ドラッグエリア４２を介することで、リストエリア４１とは離れた位置に配置されている。
【００３５】
図２（ｂ）は、選択されたアイコンをドラッグ操作している最中のＧＵＩ画面４０の表示例を示す説明図である。例えば、リストエリア４１中からスポーツモードアイコン４４ａが選択され、このスポーツモードアイコン４４ａを決定エリア４３に向けて移動させる操作指示がされた場合、ＧＵＩ制御部１１ａは、このような操作指示に応じてスポーツモードアイコン４４ａをＧＵＩ画面４０のドラッグエリア４２上において移動させる。同時に、ＧＵＩ制御部１１ａは、ドラッグエリア４２を移動中のスポーツモードアイコン４４ａに対して、このスポーツモードアイコン４４ａに対応する関連情報を付帯させて表示させる。
【００３６】
ここで、付帯させる関連情報は、スポーツモードアイコン４４ａの場合であれば、スポーツモードの動作条件の詳細パラメータに関する現在の設定状態を示す情報である。本実施の形態では、スポーツモードの場合、動作条件の詳細パラメータとして、フラッシュパラメータ、シャッタ速度、ＩＳＯ感度が用いられている。そして、これら詳細パラメータが表示されるそれぞれの関連情報表示欄４５ａ〜４５ｃは、スポーツモードアイコン４４ａに対して紐状表現の連結線で連結させて関連付けられることにより、スポーツモードアイコン４４ａと一体で移動する付帯情報として表示される。図２（ｂ）に示す例であれば、スポーツモードの詳細パラメータに関して、フラッシュは発光禁止状態に設定され、シャッタ速度は１／１００でシャッタ優先モード（絞りは自動）に設定され、ＩＳＯ感度は８００に設定されていることをユーザに明示するものである。
【００３７】
図２（ｃ）は、選択したアイコンのドラッグ＆ドロップ操作が終了したときのＧＵＩ画面４０の表示例を示す説明図である。例えば、リストエリア４１中からスポーツモードアイコン４４ａが選択され、決定エリア４３にドラッグ＆ドロップ操作されると、条件設定部１１ｂにより、シーン設定モードとして、スポーツモードに決定される。これにより、シーン設定モードの処理が一旦終了し、決定されたスポーツモードアイコン４４ａが決定エリア４３内に表示されると同時に、リストエリア４１等の表示が消え、撮影モードに従いライブビュー画像４６（画像例の表示は省略）が表示される。よって、レリーズボタン１３ａによる撮影指示操作が可能となる。なお、前述のドロップ操作する手前でドラッグ中のアイコンから指が離された時には、選択操作が解除されたとみなして、一気に図２（ａ）に示す状態に戻される。これにより、内容が良く分からないアイコンをちょっとドラッグしてみて、その関連情報を確認するという使い方もできる。
【００３８】
次に、モード決定後のＧＵＩ画面４０の表示制御例について図３を参照して説明する。図３（ａ）は、モード決定後に決定エリア４３をタップ操作したときのＧＵＩ画面４０の表示例を示す説明図である。上述したような操作により、例えばスポーツモードにシーンモードを決定した後、任意の時点で決定エリア４３がタップ操作されると、ＧＵＩ制御部１１ａは、ＧＵＩ画面４０において決定エリア４３の周囲に、設定されたシーンモード、ここではスポーツモードに対応する関連情報を表示させる。この場合の関連情報は、上記の場合と同じスポーツモードの動作条件の詳細パラメータに関する現在の設定状態を示す情報であり、フラッシュパラメータ、シャッタ速度、ＩＳＯ感度が用いられている。そして、これら詳細パラメータが表示されるそれぞれの関連情報表示欄４５ａ〜４５ｃを決定エリア４３に対して紐状表現の連結線で連結することで関連付けて表示させる。また、同時に、ＧＵＩ制御部１１ａは、ＧＵＩ画面４０の右端にパラメータ決定エリア４７を新たに設定して表示させる。
【００３９】
図３（ｂ）は、決定エリア４３の周囲に表示された関連情報表示欄４５ａ〜４５ｃから変更設定したい詳細パラメータを選択してドラッグ操作している最中のＧＵＩ画面４０の表示例を示す説明図である。例えば、フラッシュパラメータの関連情報表示欄４５ａが選択され、この関連情報表示欄４５ａをパラメータ決定エリア４７に移動操作させドロップ操作された場合について説明する。この場合、ＧＵＩ制御部１１ａは、このような操作指示に応じて、図３（ｃ）に示すように、他の関連情報表示欄４５ｂ〜４５ｃの表示を消すとともに、パラメータ決定エリア４７の周囲にフラッシュパラメータに関して詳細サブパラメータ情報を表示させる。詳細サブパラメータ情報は、フラッシュパラメータの場合であれば、発光禁止、赤目発光、強制発光等のフラッシュパラメータに関して選択可能なパラメータ情報であり、それぞれパラメータ情報表示欄４８ａ〜４８ｃに表示される。現在選択されているサブパラメータの発光禁止のパラメータ情報表示欄４８ａには、識別可能なようにカーソル４８ｄが付されて表示される。そして、表示されているパラメータ情報表示欄４８ａ〜４８ｃ中の所望のフラッシュパラメータ（例えば、赤目発光のパラメータ情報表示欄４８ｂ）がタップ操作されると、条件設定部１１ｂによって動作条件がそのフラッシュパラメータに決定される。
【００４０】
また、モード決定後に、設定された条件を解除する際のＧＵＩ画面４０の表示制御例について説明する。図４は、モード決定後に、設定された条件を解除する操作が行われた場合のＧＵＩ画面４０の表示例を示す説明図である。上述したような操作により、例えばスポーツモードにモード決定した後、任意の時点でスポーツモードアイコン４４ａを決定エリア４３から外に出すドラッグ＆ドロップ操作がされると、ＧＵＩ制御部１１ａは、一旦決定されたスポーツモードの設定を解除する。そして、図２（ａ）のＧＵＩ画面４０に戻し、他のシーンモードへの設定変更等を可能とする。
【００４１】
ついで、移動途中のアイコンに付帯させる関連情報の出力形態の他例について説明する。図５は、付帯させる関連情報の出力形態の他例を示す説明図である。移動途中のアイコンに関連情報を付帯させて出力させる形態は、前述の図２（ｂ）に示したような動作条件の詳細パラメータの表示方式に限らない。例えば、図５（ａ）は、関連情報を、動作条件を説明する文章の形態でＧＵＩ画面４０に表示させる例を示している。すなわち、選択されて移動操作されるスポーツモードアイコン４４ａに対して、「スポーツモード（動きを止めた表現）」なるテキストが吹き出し４９の形態で付帯させて表示される。
【００４２】
また、図５（ｂ）は、関連情報を、動作条件を説明する画像の形態でＧＵＩ画面４０に表示させる例を示している。すなわち、選択されて移動操作されるスポーツモードアイコン４４ａに対して、運動会等をイメージした画像が吹き出し５０の形態で付帯させて表示される。なお、吹き出し５０に表示される画像は、静止画でも動画でもよい。
【００４３】
さらに、図５（ｃ）は、関連情報を、動作条件を説明する文章を音声の形態でスピーカ２５から出力させる例を示している。すなわち、選択されて移動操作されるスポーツモードアイコン４４ａに対して、「スポーツモードです。動きを止めた表現で撮影できます。」の如く、関連情報をスピーカ２５から音声５１の形態で付帯させて出力される。
【００４４】
これら図２（ａ）、図５（ａ）〜図５（ｃ）に示すような４種類の関連情報の出力形態に関して、所望のいずれか一つの出力形態が出力されるように選択設定してもよい。あるいは、ユーザ操作に応じて、これら４種類の出力形態が順次切換えられ、形態を異ならせて表示させたり音声出力させたりしてもよい。順次切換え方式に関しては、数種類の方式が考えられる。
【００４５】
第１の方式としては、４種類の出力形態に関して、アイコン４４ａのドラッグ操作中に一定時間経過したら次の出力形態に自動的に切換えるようにすればよい。すなわち、アイコン４４ａをゆっくりドラッグ操作すると、４種類の形態の出力が可能となり、それだけ多くの関連情報が得られることとなる。
【００４６】
第２の方式としては、４種類の出力形態に関して、アイコン４４ａのドラッグ操作中に一旦停止させ、その停止時間が一定時間経過したら次の出力形態に自動的に切換えるようにすればよい。特に、ドラッグ操作中に一旦停止させる操作は、通常はしない操作であるので、一旦停止を、「もっと情報を得たい」というユーザの意思として捉えることができる。
【００４７】
第３の方式としては、例えばアイコン４４ａのドラッグ操作中に、左右に振るようなシェイク操作を行わせることで、現在の出力形態が振り落とされる如く千切れて、次の新しい出力形態が生えてくるようにしてもよい。
【００４８】
第４の方式としては、例えばドラッグ操作中のアイコン４４ａにタップ操作すると、４種類の出力形態が順番に切換るようにしてもよい。
【００４９】
ついで、モード決定後の関連情報の出力形態の他例について説明する。図６は、モード決定後に決定エリア４３をタップ操作したときのＧＵＩ画面４０の表示の他例を示す説明図である。すなわち、図３（ａ）では、関連情報として、動作条件の詳細パラメータを決定エリア４３の周囲に表示させるようにしたが、図６に示すように、関連情報を、動作条件を説明する文章の形態で決定エリア４３の周囲に表示させる例を示している。すなわち、決定エリア４３の周囲に、「スポーツモード（動きを止めた表現）」なるテキストが吹き出し４９の形態で表示される。
【００５０】
さらに、モード選択時のＧＵＩ画面４０の他例について説明する。図７は、図２（ａ）に示した初期のＧＵＩ画面４０において、例えば、スポーツモードアイコン４４ａにタップ操作した場合のＧＵＩ画面４０の表示例を示す説明図である。リストエリア４１中のスポーツモードアイコン４４ａにタップ操作されると、ＧＵＩ制御部１１ａは、リストエリア４１をスポーツモード用仕様に変更し、スポーツモードアイコン４４ａの下部に、例えば「表情もしっかり撮れます」の如きスポーツモードを説明する文章５０を表示させる。また、ＧＵＩ制御部１１ａは、スポーツモードに関する他の表現としてオプション用のスポーツモードアイコン４４ａ１，４４ａ２をリストエリア４１中に表示させ、選択可能とする。
【００５１】
ここで、図７において、スポーツモードアイコン４４ａ１は、被写体の動きを感じるモードである。すなわち、シャッタ速度がやや遅めに設定され、被写体がぶれて撮影されるモードである。また、スポーツモードアイコン４４ａ２は、被写体はほぼ停止し背景が動いて撮影されるモードであり、いわゆる流し撮りモードである。
【００５２】
このように、スポーツモードの選択操作に先立ち、タップ操作を行うことによって、通常のスポーツモードアイコン４４ａだけでなく、オプション用のスポーツモードアイコン４４ａ１，４４ａ２もリストエリア４１に表示される。よって、スポーツモードとしてこれら３種類の中から所望のアイコンを選択して決定エリア４３に向けてドラッグ＆ドロップ操作を行うことで所望のモード設定が可能となる。
【００５３】
つづいて、上述したようなＧＵＩ画面４０の表示制御等を実現するための制御部１１による動作制御例について説明する。図８は、制御部１１により実行される操作制御処理例を示す概略フローチャートである。本実施の形態で対象とする操作制御処理は、図示しない設定用ボタン等の操作により、撮影モードが指定されることにより実行される。
【００５４】
この撮影モードにおいては、まず、表示部１８には撮像部１５で撮像されるライブビュー画像が表示される（ステップＳ１１）。このような状態で、図示しない設定用ボタンの操作によりシーン設定モードが選択されたか否かを判定する（ステップＳ１２）。選択されていなければ（ステップＳ１２：Ｎｏ）、ステップＳ１１に戻る。
【００５５】
一方、シーン設定モードが選択されると（ステップＳ１２：Ｙｅｓ）、ＧＵＩ制御部１１ａは、シーン設定モード用の画像をＧＵＩ画面４０として表示部１８に表示させる（ステップＳ１３）。例えば、図２（ａ）に示したＧＵＩ画面４０の表示が相当し、ライブビュー画像４６は非表示状態となる。そして、このＧＵＩ画面４０の表示において、リストエリア４１中からアイコンが選択操作されるまで待機する（ステップＳ１４：Ｎｏ）。ユーザにより、所望のアイコン、例えばアイコン４４ａが選択操作されたら（ステップＳ１４：Ｙｅｓ）、選択されたアイコン４４ａがドラッグ操作されるまで待機する（ステップＳ１５：Ｎｏ）。
【００５６】
選択されたアイコン４４ａがドラッグ操作されると（ステップＳ１５：Ｙｅｓ）、ＧＵＩ制御部１１ａは、選択されたアイコン４４ａに対応する関連情報を付帯させたアイコン４４ａを作成し（ステップＳ１６）、この関連情報付きのアイコン４４ａをドラッグ操作に応じてドラッグエリア４２上で移動させる（ステップＳ１７）。例えば、図２（ｂ）に示したＧＵＩ画面４０の表示が相当する。すなわち、移動中のアイコン４４ａに、このアイコン４４ａに対応する関連情報を付帯させて表示させる。
【００５７】
このような選択されたアイコン４４ａのドラッグ操作による移動中に、一旦停止等の関連情報切換え操作があった場合には（ステップＳ１８：Ｙｅｓ）、ＧＵＩ制御部１１ａは、アイコンに付帯させる関連情報の出力形態を切換える（ステップＳ１９）。すなわち、図２（ｂ）、図５（ａ）〜図５（ｃ）に示したような出力形態の切換えが相当する。
【００５８】
さらに、アイコンが決定エリアにドロップされるまでの間には、アイコンから指が離されたかを検出し（ステップＳ２０）、指が離された場合には（ステップＳ２０：Ｙｅｓ）、ＧＵＩ制御部１１ａは、このアイコン選択が解除されたとしてステップＳ１４に表示を戻す。このような関連情報の出力を伴うアイコンの移動表示と指の検出が、このアイコンが決定エリア４３にドロップ操作されるまで継続される（ステップＳ１８：Ｎｏ、ステップＳ２０：Ｎｏ、ＮｏステップＳ２１：Ｎｏ）。そして、このアイコン４４ａが決定エリア４３にドロップ操作されると（ステップＳ２１：Ｙｅｓ）、条件設定部１１ｂは、シーン設定モードにおいて撮影に用いるシーンモードを例えばスポーツモードに決定する（ステップＳ２２）。ＧＵＩ制御部１１ａは、決定エリア４３にドロップ操作されたアイコン４４ａを表示させるとともに、リストエリア４１を非表示とし、ライブビュー画像４６を再び表示させる（ステップＳ２３）。例えば、図２（ｃ）に示したＧＵＩ画面４０の表示が相当する。
【００５９】
このようなモードの決定後においては、決定エリア４３がタップ操作されたか否かが判定される（ステップＳ２４）。タップ操作された場合（ステップＳ２４：Ｙｅｓ）、ＧＵＩ制御部１１ａは、関連情報が詳細パラメータの場合であれば（ステップＳ２５：Ｙｅｓ）、ＧＵＩ画面４０において、関連情報を決定エリア４３の周囲に表示させるとともに、パラメータ決定エリア４７を表示させる（ステップＳ２６）。例えば、図３（ａ）に示したＧＵＩ画面４０の表示が相当する。そして、関連情報として表示されたパラメータがパラメータ決定エリア４７にドラッグ＆ドロップ操作されたか否かを判定する（ステップＳ２８）。例えば、図３（ｂ）に示すように、ドロップ操作された場合には（ステップＳ２８：Ｙｅｓ）、ドロップ操作されたパラメータの各条件をサブパラメータとしてパラメータ決定エリア４７の周囲に表示させる（ステップＳ２９）。例えば、図３（ｃ）に示したＧＵＩ画面４０の表示が相当する。これにより、パラメータの変更設定が可能となる。
【００６０】
一方、関連情報が詳細パラメータの場合でなければ（ステップＳ２５：Ｎｏ）、ＧＵＩ制御部１１ａは、ＧＵＩ画面４０において、関連情報を決定エリア４３の周囲に表示させる（ステップＳ２７）。例えば、図６に示したＧＵＩ画面４０の表示が相当する。
【００６１】
また、決定エリア４３がタップ操作されていない場合（ステップＳ２４：Ｎｏ）、表示されているアイコン４４ａを決定エリア４３外に出すシーン設定解除操作があったか否かを判定する（ステップＳ３０）。例えば、図４に示したようなシーン設定解除操作があった場合には（ステップＳ３０：Ｙｅｓ）、条件設定部１１ｂは、一旦決定されたシーンモードの設定を解除し（ステップＳ１）、ステップＳ１３に戻る。
【００６２】
一方、シーン設定解除操作がなく（ステップＳ３０：Ｎｏ）、レリーズボタン１３ａが操作された場合には（ステップＳ３２：Ｙｅｓ）、決定されたシーンモードに従い、撮像部１５により撮影を行い、撮影された画像に必要な画像処理を施して、画像記憶部２２に記録させる（ステップＳ３３）。そして、電源スイッチＯＦＦ操作や再生モード等へのモード切換えがなければ（ステップＳ３４：Ｎｏ）、ステップＳ２４に戻り、上述の処理を繰り返す。
【００６３】
このように、本実施の形態によれば、ＧＵＩ制御部１１ａは、リストエリア４１から選択されたアイコンを決定エリア４３まで移動させる指示操作がされた場合には、この指示操作に応じてアイコンを移動させるとともに、移動中のアイコンにこのアイコンに対応する関連情報を付帯させて出力させるようにしたので、複雑な操作を行わなくても、操作に関連した情報が簡単に得られるＧＵＩを提供することができる。特に、アイコンの選択から決定前のアイコン移動操作中に関連情報が付帯させて出力されるので、アイコンの内容をタイミングよく知ることができる。また、ＧＵＩ制御部１１ａは、動作条件が設定された後に、決定エリア４３の周囲にこの設定された動作条件の関連情報を表示させるので、動作条件の設定後であっても、動作条件の内容確認を簡単に行うことができる。
【００６４】
本発明は、上述した実施の形態に限らず、本発明の趣旨を逸脱しない範囲であれば、種々の変形が可能である。
【００６５】
例えば、本実施の形態における図８に示すような各処理機能について、図１に示すブロック図では、制御部１１によるソフトウェアによって処理するように説明したが、構成の具体例はこれに限るものではない。これらの処理を、ハードウェア処理とソフトウェア処理のいずれか一方あるいは適宜組み合わせて行なうことは設計事項である。
【００６６】
そして、実施の形態の全てあるいは一部がソフトウェア処理で処理が実行される場合には、制御部１１がフラッシュメモリ等のプログラムデータ記憶部１２に格納された操作制御用プログラムを読み出して実行されることで、かかるソフトウェア処理が実現されるので、このようなソフトウェア処理に関する操作制御用プログラムも本発明となる。また、このような操作制御用プログラムが記録された記録媒体も本発明となる。なお、プログラムを格納する記録媒体としては、フラッシュメモリに限定されるものではなく、ＣＤ−ＲＯＭ、ＤＶＤ−ＲＯＭ等の光学記録媒体、ＭＤ等の磁気記録媒体、テープ媒体、ＩＣカードなどの半導体メモリであってもよい。さらに、検索用プログラムとしては、ネットワークを介して外部の記録媒体から入手されるもの、例えば、ホームページからダウンロードされるものも当然含まれる。このような場合には、ユーザに対してダウンロードさせるＷＷＷサーバやｆｔｐサーバ等も本発明の範囲に含まれるものである。
【００６７】
また、本実施の形態では、当該操作制御装置をデジタルカメラに搭載した例で説明したが、当然これに限られるものではない。本実施の形態の操作制御装置は、携帯電話あるいは画像表示装置（画像ビュワー）等の各種電子機器に適用してもよい。また、カメラは、デジタルカメラ１に限らず、パソコンのカメラ部や携帯電話のカメラ部等に適用してもよい。
【符号の説明】
【００６８】
１  デジタルカメラ
１１ａ  ＧＵＩ制御部
１１ｂ  条件設定部
１４  タッチパネル
１８  表示部
２５  スピーカ
４０  ＧＵＩ画面
４１  リストエリア
４３  決定エリア
４４ａ〜４４ｅ  アイコン
４５ａ〜４５ｃ  関連情報表示欄
４９，５０  吹き出し
５１  音声
【図１】
0005537711.tif 000002
【図２】
0005537711.tif 000003
【図３】
0005537711.tif 000004
【図４】
0005537711.tif 000005
【図５】
0005537711.tif 000006
【図６】
0005537711.tif 000007
【図７】
0005537711.tif 000008
【図８】
0005537711.tif 000009